(57)【特許請求の範囲】
【請求項１】
処理対象のオブジェクトに対する操作に応じて当該オブジェクトを処理する携帯端末装置であって、
外部機器としての表示装置との間で直接的又は間接的にデータ通信を行う通信手段と、
前記処理対象のオブジェクトを端末オブジェクトとし、その端末オブジェクトに対してアクセス操作が行われた場合に、前記端末オブジェクト又はその処理結果をモニタリンク・オブジェクトとして、前記表示装置に前記通信手段を介して表示させるための制御を行う表示制御手段と、
前記通信手段を介して受信取得した前記表示装置側のモニタリンク・オブジェクトの表示位置を前記端末オブジェクトに対応付けて記憶管理する管理手段と、
前記表示装置側の表示内容に対する操作に応答してその表示操作信号を、前記通信手段を介して受信取得した場合に、当該モニタリンク・オブジェクト対応の前記端末オブジェクトに対して前記表示操作信号が示す操作内容に応じた処理を実行する処理手段と、
を備え、
前記通信手段は、ネットワーク経由で情報配信装置を介して前記表示装置との間で間接的に通信接続するネットワーク通信手段であり、
前記端末オブジェクトは、表示対象のデータの存在場所を指定するリンク情報であり、
前記表示制御手段は、前記表示装置の識別情報を取得し、この識別情報及び前記リンク情報を前記情報配信装置に対して通知することで、当該情報配信装置からそのリンク情報で指定されるデータを前記識別情報で指定される表示装置に送信させることにより、当該データを前記モニタリンク・オブジェクトとして前記表示装置に表示させるための制御を行う、
ことを特徴とする携帯端末装置。
【請求項２】
前記処理対象のオブジェクトを端末オブジェクトとし、その端末オブジェクトに対してアクセス操作が行われた場合に、当該端末装置の近隣に通信接続が可能な前記表示装置が存在しているか否かを判別する判別手段と、
前記判別手段により表示装置が存在していることが判別された場合に、その表示装置を出力モニタとして特定する特定手段と、
を更に備え、
前記表示制御手段は、前記出力モニタとして特定した表示装置に前記通信手段を介して前記モニタリンク・オブジェクトを表示させるための制御を行う、
ようにしたことを特徴とする請求項１に記載の携帯端末装置。
【請求項３】
処理対象のオブジェクトに対する操作に応じて当該オブジェクトを処理する携帯端末装置のコンピュータを制御するためのプログラムであって、
前記コンピュータを、
外部機器としての表示装置との間で直接的又は間接的にデータ通信を行う通信手段、
前記処理対象のオブジェクトを端末オブジェクトとし、その端末オブジェクトに対してアクセス操作が行われた場合に、前記端末オブジェクト又はその処理結果をモニタリンク・オブジェクトとして、前記表示装置に前記通信手段を介して表示させるための制御を行う表示制御手段、
前記通信手段を介して受信取得した前記表示装置側のモニタリンク・オブジェクトの表示位置を前記端末オブジェクトに対応付けて記憶管理する管理手段、
前記表示装置側の表示内容に対する操作に応答してその表示操作信号を、前記通信手段を介して受信取得した場合に、当該モニタリンク・オブジェクト対応の前記端末オブジェクトに対して前記表示操作信号が示す操作内容に応じた処理を実行する処理手段、
として機能させ、
前記通信手段は、ネットワーク経由で情報配信装置を介して前記表示装置との間で間接的に通信接続するネットワーク通信手段であり、
前記端末オブジェクトは、表示対象のデータの存在場所を指定するリンク情報であり、
前記表示制御手段は、前記表示装置の識別情報を取得し、この識別情報及び前記リンク情報を前記情報配信装置に対して通知することで、当該情報配信装置からそのリンク情報で指定されるデータを前記識別情報で指定される表示装置に送信させることにより、当該データを前記モニタリンク・オブジェクトとして前記表示装置に表示させるための制御を行うコンピュータ読み取り可能なプログラム。
【発明の詳細な説明】
【技術分野】
【０００１】
本発明は、携帯端末装置及びプログラムに関する。
【背景技術】
【０００２】
従来、外部機器としての表示装置に対する操作デバイスとして使用可能な携帯端末装置としては、携帯電話機を外部表示装置に対するポインティングデバイス（マウス）として使用できるようにした技術が存在し（特許文献１〜４参照）、これらの先行技術にあっては、携帯電話機と外部表示装置とが予め通信接続されていることを前提として携帯電話機をマウスとして使用可能としている。更に、上述の先行技術（特許文献４）にあっては、携帯電話機を外部表示装置に対するポインティングデバイス（マウス）として使用する場合に、携帯電話機に表示されるオブジェクト内容を外部表示装置に拡大表示させるようにしている。
【先行技術文献】
【特許文献】
【０００３】
【特許文献１】特開２００７‐１２３９６２号公報
【特許文献２】特開２００８‐２６３４５４号公報
【特許文献３】特開２００７‐１５０６９５号公報
【特許文献４】特開２０１０‐１６５２８９号公報
【発明の概要】
【発明が解決しようとする課題】
【０００４】
しかしながら、上述した各先行技術にあっては、携帯電話機を外部表示装置に対するポインティングデバイス（マウス）として使用することができたとしても、携帯電話機から外部表示装置への操作指示のみであり、単に表示装置を出力モニタとして利用するだけであった。
【０００５】
本発明の課題は、外部機器である表示装置を利用して、携帯端末装置に表示されるオブジェクトに関する処理を実行できるようにすることである。
【課題を解決するための手段】
【０００６】
請求項１は、処理対象のオブジェクトに対する操作に応じて当該オブジェクトを処理する携帯端末装置であって、外部機器としての表示装置との間で直接的又は間接的にデータ通信を行う通信手段と、前記処理対象のオブジェクトを端末オブジェクトとし、その端末オブジェクトに対してアクセス操作が行われた場合に、前記端末オブジェクト又はその処理結果をモニタリンク・オブジェクトとして、前記表示装置に前記通信手段を介して表示させるための制御を行う表示制御手段と、前記通信手段を介して受信取得した前記表示装置側のモニタリンク・オブジェクトの表示位置を前記端末オブジェクトに対応付けて記憶管理する管理手段と、前記表示装置側の表示内容に対する操作に応答してその表示操作信号を、前記通信手段を介して受信取得した場合に、当該モニタリンク・オブジェクト対応の前記端末オブジェクトに対して前記表示操作信号が示す操作内容に応じた処理を実行する処理手段と、を備え、前記通信手段は、ネットワーク経由で情報配信装置を介して前記表示装置との間で間接的に通信接続するネットワーク通信手段であり、前記端末オブジェクトは、表示対象のデータの存在場所を指定するリンク情報であり、前記表示制御手段は、前記表示装置の識別情報を取得し、この識別情報及び前記リンク情報を前記情報配信装置に対して通知することで、当該情報配信装置からそのリンク情報で指定されるデータを前記識別情報で指定される表示装置に送信させることにより、当該データを前記モニタリンク・オブジェクトとして前記表示装置に表示させるための制御を行う、ことを特徴とする。
【発明の効果】
【０００８】
本発明によれば、外部機器である表示装置を利用して、携帯端末装置に表示されるオブジェクトに関する処理を実行することができる。
【図面の簡単な説明】
【０００９】
【図１】携帯電話機１が利用可能な通信ネットワークシステムを示したブロック図。
【図２】携帯電話機１の基本的な構成要素を示したブロック図。
【図３】表示位置管理テーブルＤＴを説明するための図。
【図４】携帯電話機１に対する外部機器としての表示装置６（テレビ受信機６Ａ）の基本的な構成要素を示したブロック図。
【図５】携帯電話機１の概略外観図で、（１）は、携帯電話機１を表面の方向から見た図、（２）は、背面の方向から見た図。
【図６】（１）、（２）は、携帯電話機１の一側面の方向から見た概略外観図で、（２）は、更に、携帯電話機１を表示装置６（テレビ受信機６Ａ）に対する操作デバイス（マウス）として機能している状態での一部拡大概略断面図を含めた図。
【図７】モニタリンク・ボタン操作（ペアリング操作）により実行開始される携帯電話機１の動作を示したフローチャート。
【図８】図７に続く動作を示したフローチャート。
【図９】図８に続く動作を示したフローチャート。
【図１０】表示装置６（テレビ受信機６Ａ）の動作として、外部から電源オン信号を受信することにより実行開始されるフローチャート。
【図１１】表示装置６（テレビ受信機６Ａ）の動作として、携帯電話機１からモニタ探索信号を受信したときに実行開始されるフローチャート。
【図１２】（１）〜（３）は、携帯電話機１側の画面と表示装置６（テレビ受信機６Ａ）側の画面とがリンクしている状態の表示例を示した図。
【図１３】（１）、（２）は、携帯電話機１側の画面と表示装置６（テレビ受信機６Ａ）側の画面とがリンクしている状態の他の表示例を示した図。
【図１４】表示装置６に対する操作デバイスとして携帯電話機１を利用したり、携帯電話機１に対する操作デバイスとして表示装置６を利用したりする場合の操作例及び表示例を示した図。
【図１５】表示装置６に対する操作デバイスとして携帯電話機１を利用したり、携帯電話機１に対する操作デバイスとして表示装置６を利用したりする場合の他の操作例及び表示例を示した図。
【発明を実施するための形態】
【００１０】
以下、本発明の実施の形態について、図１〜図１５を参照して詳細に説明する。
本実施形態は、携帯端末装置として携帯電話機に適用したもので、図１は、携帯電話機１が利用可能な通信ネットワークシステムを示したブロック図である。
携帯電話機１は、音声通話機能、電子メール機能、インターネット接続機能（Ｗｅｂアクセス機能）、近距離通信機能などが備え、最寄りの基地局２から無線通信網（移動体通信網）３に接続されると、その無線通信網３を介して他の携帯電話機（図示省略）との間で通話可能な状態となる。
【００１１】
また、携帯電話機１は、無線通信網３を介してインターネット４に接続されると、電子メールの送受信が可能となったり、Ｗｅｂサイトをアクセスして閲覧可能となったり、また、情報配信装置５から配信される画像データなどの各種のデータをインターネット４、無線通信網３を介してダウンロードしたり、携帯電話機１から画像データなどの各種のデータを無線通信網３、インターネット４を介してアップロードしたりすることが可能となっている。なお、情報配信装置５は、データを暗号化して送受信するプロトコルを使用することで機密性が高く安全な通信を確保することができる業者側のネットワークサーバで、クラウド・サーバサービスを提供し、各ユーザから提供された各種のデータを保管したり、そのユーザ側の端末装置に配信したりするようにしている。
【００１２】
また、携帯電話機１は、外部機器（表示部を備えた電子機器）としての表示装置６との間で直接的又は間接的にデータ通信が可能となっている。表示装置６は、家庭内に設置された各種の電子機器で、タッチパネル付き表示画面（タッチ表示画面）を有し、例えば、テレビ受信機６Ａ、プロジェクタ６Ｂ、デジタルフォトフレーム６Ｃ、パーソナルコンピュータ（ＰＣ）６Ｄ、車載端末６Ｅなどであり、家庭内に構築された無線ＬＡＮ（構内通信網）７に接続されている。表示装置６は、無線ＬＡＮ（構内通信網）７を介してインターネット４に接続されると、情報配信装置５から画像データなどの各種のデータをダウンロードして表示可能となっている。このように表示装置６は、情報配信装置５に接続されることにより携帯電話機１と表示装置６とは、情報配信装置５を介して間接的に通信接続されるようになっている。また、携帯電話機１と表示装置６とは、近距離通信、例えば、ブルートゥース（Bluetooth：登録商標）を介して直接的に通信接続されるようになっている。
【００１３】
ここで、携帯電話機１と表示装置６とが近距離通信により直接的に通信接続されるのは、表示装置６に対する操作デバイス（ポインティングデバイス：マウス）として自身を機能させる場合である。すなわち、携帯電話機１は、処理対象のオブジェクトに対してアクセス操作が行われた際に、つまり、携帯電話機１と表示装置６とを近距離通信を介してリンクさせるために後述するモニタリンク・ボタンが操作された際に、携帯電話機１の近隣（例えば、半径５ｍ以内）に通信接続（近距離通信）が可能な表示装置６が存在しているか否かを探索し、近隣に表示装置６が存在していれば、その表示装置６を当該携帯電話機１の出力モニタとして特定するようにしている。
【００１４】
このように表示装置６を携帯電話機１に対する出力モニタとし、携帯電話機１をその出力モニタに対する操作デバイスとして、携帯電話機１と表示装置６とをリンクさせることを希望する場合に、上述のモニタリンク・ボタンを操作するようにしている。ここで、処理対象のオブジェクトとは、携帯電話機１側で保持されているリンク情報、受信情報、アイコン、ファイル、画像データ、テキストデータなどであり、例えば、受信メール内に付加されているＵＲＬ（Uniform Resource Locator）、携帯電話機１側で保存されているデータ、端末画面上に表示されているアイコン、画像などのデータである。
【００１５】
そして、携帯電話機１は、処理対象のオブジェクトに対してアクセス操作が行われた際（モニタリンク・ボタンＭＢが操作された際）に、そのオブジェクト又はその処理結果を、出力モニタとして特定した表示装置６に表示させるための制御を行うようにしている。すなわち、上述の処理対象のオブジェクト、つまり、携帯電話機１側でアクセス可能なオブジェクト（携帯電話機１側が保持するオブジェクト）を端末オブジェクトと称し、出力モニタとして特定した表示装置６に表示させる当該オブジェクト又はその処理結果を、モニタリンク・オブジェクトと称すると、携帯電話機１は、端末オブジェクトへのアクセス操作に応じて表示装置６にモニタリンク・オブジェクトを表示させるための制御を行うようにしている。
【００１６】
例えば、携帯電話機１は、端末オブジェクトがリンク情報（例えば、ネットワーク上の格納場所、サーバ上のファイル保管場所をリンク先とする情報）であれば、そのリンク情報の処理結果（リンク先から受信取得されたデータ）を、モニタリンク・オブジェクトとして表示装置６に表示させるために、情報配信装置５に対してそのリンク先に格納されているファイルなどのデータを、表示装置６に対して送信すべきことを依頼する依頼通信（間接通信）を行うようにしている。また、端末オブジェクトがリンク情報以外のデータ、例えば、アイコンであれば、その端末オブジェクト（アイコン）をモニタリンク・オブジェクトとして表示装置６に表示させるために、その表示装置６に近距離通信を介して送信する直接通信を行うようにしている。
【００１７】
このようにして携帯電話機１の出力モニタとして特定した表示装置６のタッチ表示画面上にモニタリンク・オブジェクトを表示させる制御を行った後、携帯電話機１は、表示装置６に対する操作デバイスモード（ポインティングデバイスモード：マウスモード）に移行するようにしている。このマウスモードにおいては、携帯電話機１の移動操作に応じて表示装置６上のカーソルを移動表示させたり、後述するモニタリンク・ボタンの押下操作に応じて、表示装置６上のモニタリンク・オブジェクトに関する処理、つまり、そのモニタリンク・オブジェクト対応の端末オブジェクトに対する処理（後述する）を実行したりする。
【００１８】
一方、表示装置６は、そのタッチ表示画面に対してタッチアクション（後述する）が行われた際に、そのタッチ位置及びアクション内容を携帯電話機１に対して送信するようにしている。携帯電話機１は、表示装置６からタッチ操作信号を受信した場合に、そのタッチ位置及びアクション内容に応じた処理（後述する）を実行するようにしている。このように表示装置６を携帯端末装置１の出力モニタとして利用する以外に、携帯電話機１と表示装置６との相互で操作デバイスとして利用できるようにしている。つまり、表示装置６側でのタッチ操作を携帯電話機１側での操作として取り扱う（認識する）ようにしている。
【００１９】
図２は、携帯電話機１の基本的な構成要素を示したブロック図である。
携帯電話機１は、音声通話機能、電子メール機能、インターネット接続機能（Ｗｅｂアクセス機能）、近距離通信機能などを備え、ＣＰＵ１１を中核とし、電源部１２、記憶部１３、メモリ１４、無線通信部１５、音声信号処理部１６、操作部１７、タッチ表示部１８、マウスセンサ１９、近距離通信部２０、無線ＬＡＮモジュール２１、筐体向き検出部２２、引出検出部２３を有する構成となっている。
【００２０】
ＣＰＵ１１は、二次電池（図示省略）を備えた電源部１２からの電力供給によって動作し、記憶部１３内の各種のプログラムに応じてこの携帯電話機１の全体動作を制御する中央演算処理装置である。記憶部１３には、図７〜図９に示した動作手順に応じて本実施形態を実現するためのプログラムや各種のアプリケーションなどが格納されているほか、それに必要とする情報などが記憶されている。なお、記憶部１３は、例えば、ＳＤカードなど、着脱自在な可搬型メモリ（記録メディア）を含む構成であってもよく、図示しない所定の外部サーバ上の記憶領域を含む構成であってもよい。メモリ１４は、フラグ情報など、携帯電話機１が動作するために必要な各種の情報を一時的に記憶するワーク領域で、後述する表示位置管理テーブルＤＴが設けられている。
【００２１】
無線通信部１５は、通話機能の動作時に受信信号を受信ベースバンド信号に復調した後、音声信号処理部１６を介して通話用スピーカＳＰから音声出力させ、また、通話用マイクＭＣからの入力音声データを音声信号処理部１６から取り込み、送信ベースバンド信号に符号化した後、アンテナ（図示省略）から発信出力させる。操作部１７は、押しボタン式の電源キー、メニューキーなどのサイドキーＳＫのほか、モニタリンク・ボタンＭＢなどを有し、ＣＰＵ１１は、この操作部１７からの入力操作信号に応じて所定の処理を実行する。モニタリンク・ボタンＭＢは、携帯電話機１を表示装置６に対する操作デバイス（マウス）として機能させる際に使用したり、表示装置６に表示されているモニタリンク・オブジェクトを操作する際に使用したりするキーである。
【００２２】
タッチ表示部１８は、携帯電話機１を構成する筐体の表面側に配設され、例えば、高精細液晶ディスプレイや有機ＥＬディスプレイで、文字データ、待受画像、各種のオブジェクトなどを表示したり、ソフトキーボードなどのタッチキー群を表示したりするもので、縦横比の異なる画面を有し、その画面上の全域に透明タッチセンサ（図示省略）を積層配設することにより、指などによるタッチ操作を感知して、そのタッチ操作に応じたデータを入力するタッチスクリーンを構成する。なお、タッチセンサとしては、軽量化、光透過性、耐久性などに優れた静電容量方式を採用し、ソフトキー（タッチキー）に対するキー操作を検出したり、タッチアクション操作（例えば、タップ操作、スクロール操作など）を検出したりする。
【００２３】
マウスセンサ１９は、赤外線又はレーザ光による光学式マウスの発光部及び受光部を構成するもので、マウスモードにおいて携帯電話機１の移動方向や移動量などを光学的に検出する。近距離通信部２０は、ブルートゥース通信を行うもので、その通信可能エリアは、例えば、略半径５ｍとなっており、ブルートゥース通信されるデータに対してシリアル／パラレル変換などを行う。無線ＬＡＮモジュール２１は、家庭内の無線ＬＡＮ通信機能を構成し、高速無線通信が可能なものである。また、筐体向き検出部２２は、筐体の向き（姿勢）を検出する加速度センサである。引出検出部２３は、携帯電話機１内に引き出し可能に収納されているマウスセンサ１９が引き出された状態にあるかを磁気的、機械的、電気的のいずれかより検出するようにしているが、その検出方法は任意である。
【００２４】
図３は、表示位置管理テーブルＤＴを説明するための図である。
表示位置管理テーブルＤＴは、携帯電話機１側に表示されているオブジェクトの表示位置と表示装置６側に表示されているオブジェクトの表示位置とを対応付けて管理するテーブルで、「オブジェクト」、「端末オブジェクトの表示位置」、「モニタリンク・オブジェクトの表示位置」の項目を有している。すなわち、表示位置管理テーブルＤＴは、「オブジェクト」“ａ”、”ｂ”、…に対応して、その表示装置６上での「モニタリンク・オブジェクトの表示位置」と、携帯電話機１上での「端末オブジェクトの表示位置」とを対応付けて記憶管理するテーブルである。
【００２５】
図４は、表示装置６であるテレビ受信機６Ａの基本的な構成要素を示したブロック図である。
テレビ受信機６Ａは、ＣＰＵ６１を中核として、電源部６２、記憶部６３、テレビ放送受信部６４、操作部６５、タッチ表示部６６、スピーカ６７の基本的な各構成要素のほか、本実施形態においては、赤外線通信部６８、近距離通信部６９、無線ＬＡＮモジュール７０を有する構成となっている。記憶部６３には、図１０及び図１１に示した動作手順に応じて本実施形態を実現するためのプログラムや各種のアプリケーションなどが格納されているほか、それに必要とする情報などが記憶されている。
【００２６】
タッチ表示部６６は、タッチ入力機能を構成するもので、その画面上の全域に透明タッチセンサ（図示省略）を積層配設することにより、指などによるタッチ操作を感知して、そのタッチ操作に応じたデータを入力するタッチスクリーンである。なお、タッチセンサとしては、静電容量方式を採用し、ソフトキー（タッチキー）に対するキー操作を検出したり、タッチアクション操作を検出したりする。ここで、タッチアクション操作とは、タップ操作、ダブルタップ操作のほか、ホールド（保持）操作、ピッチイン・ピッチアウト（拡大縮小）操作、フリック（払い＝スクロール）操作、ドラッグ（移動）操作などである。
【００２７】
テレビ受信機６Ａは、その赤外線通信部６８を介してテレビリモコン（図示省略）との間で赤外線通信が可能となり、また、近距離通信部６８を介して携帯電話機１との間で近距離通信（ブルートゥース通信）を行うことが可能となっている。また、テレビ受信機６Ａは、無線ＬＡＮモジュール６９を介してインターネット４に接続されることにより情報配信装置５から配信されたデータを受信可能となっている。
【００２８】
携帯電話機１とテレビ受信機６Ａとは、ブルートゥース通信による通信リンクが確立（通信接続が設定）されることで、携帯電話機１側の近距離通信部２０とテレビ受信機６Ａ側の近距離通信部６８を介して携帯電話機１とテレビ受信機６Ａとの相互でデータ通信が可能となる。この場合、携帯電話機１から接続相手を特定するためのモニタ探索操作（リンク操作：ペアリング操作）が行われると、携帯電話機１は、近隣に通信接続が可能な表示装置６が存在しているか否かを探索するためのモニタ探索信号を発信した後、それに対するテレビ受信機６Ａからの応答信号を受信することにより、携帯電話機１とテレビ受信機６Ａとの通信リンクが確立される。
【００２９】
図５及び図６は、携帯電話機１の概略外観図で、図５（１）は、携帯電話機１を表面（正面）の方向から見た図、図５（２）は、背面（裏面）の方向から見た図であり、図６（１）及び（２）は、携帯電話機１の一側面の方向から見た図である。
携帯電話機１は、その筐体全体が長方体を成し、図６（１）に示すように筐体の背面は、弧状にやや盛り上がった曲線形を成している。この携帯電話機１の表面には、図５（１）に示すように縦横比の異なるタッチ表示部１８が配設されている。図５（１）は、タッチ表示部１８が縦画面となるように筐体を縦向きにした状態を示した携帯電話機１の表面図で、この縦画面の長手方向一端側（図中、上側）には通話用スピーカＳＰが配設され、縦画面の長手方向他端側（図中、下側）には通話用マイクＭＣが配設されている。更に、縦画面の長手方向他端側（図中、下側）には、引出部２４が引き出し可能に収納されている。また、筐体の背面略中心部には、上述した押しボタン式のモニタリンク・ボタンＭＢが配設されている。
【００３０】
引出部２４は、筐体内に引き出し可能（スライド可能）に収納されたもので、携帯電話機１をポインティングデバイス（マウス）として使用する際に、図６（２）に示すように、携帯電話機１を構成する筐体の一端部内から引出部２４を引き出すようにしている。図６（１）は、筐体内に引出部２４を収納した状態を示し、図６（２）は、筐体内から引出部２４を引き出した状態を示している。図６（１）、（２）は、筐体の表面側を図中、下側にして、平面（例えば、机面）などに載置した状態を示している。この状態において、筐体内から引出部２４を引き出すと、引出部２４の先端面とタッチ表示部１８の表示面との間に段差（ｇｐ）により空間が形成されるように引出部２４を筺体に取り付けられている。この場合、引出部２４は、筺体の表面側の一端部付近から斜め方向（図示の例では、斜め略６０°方向）に引き出される。これによって引出部２４の先端部と筺体の表面側の他端部とが平面（例えば、机面）上に接触した状態（２点接触の状態）で平面上に載置されることになる。
【００３１】
このように筐体の表面一端部付近から斜め方向に引出部２４が引き出されることにより、筐体の一端側が立ち上がった状態となり、つまり、筐体全体が斜めに立ち上がって上方向に曲線的にせり出したような形状となり、筐体を机面などの平面に載置して筺体の背面側を掌で包むように筺体を挟持する際に、その形状は、マウスとして持ち易い（使い易い）フォームとなる。なお、上述のように筐体の背面は弧状にやや盛り上がった曲線形を成しているが、引出部２４の全体もやや弧状の流線型とすることで、引出部２４を引き出した際に、引出部２４の外表面と筐体端部の外表面とが曲線的に連続するようになっている。
【００３２】
引出部２４には、図示省略したが、係止機構及びストッパ機構が付属されている。この係止機構は、筐体内から引出部２４を引き出し終わった状態と、筐体内に完全に収納し終わった状態で引出部２４を弾性的に係止することにより、その状態を保持するようにしたもので、その弾性力に抗して引出部２４が引き出されると、その係止が外れる構成となっている。また、ストッパ機構は、図６（２）に示した最長の引き出し量以上の引き出しを抑制するために、引出部２４の引き出しをその最長の位置で規制するストッパを有する構成となっている。なお、係止機構及びストッパ機構については、一般に使用されている機構を使用するようにしているため、その図示や詳細な説明は省略するものとする。
【００３３】
また、図６（２）で示した部分拡大図に示すように、引出部２４内には、赤外線又はレーザ光による光学式のマウスセンサ１９を構成する発光部及び受光部が配設され、筐体を載置した机面などを照射してその反射光を受光するようにしている。なお、上述した引出検出部２３は、引出部２４（マウスセンサ１９）が引き出されたか否かを検出する際に、引出部２４がその最長の引き出し位置まで引き出された状態であるか否かを検出するようにしている。なお、引出部２４内には電源部１２の電源電池（例えば、ボタン電池）１２ａが出し入れ自由（交換可能）に収納されている。
【００３４】
次に、本実施形態における携帯電話機１及び表示装置６（テレビ受信機６Ａ）の動作概念を図７〜図１１に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
なお、図７〜図９は、携帯電話機１の全体動作のうち、本実施形態の特徴部分の動作概要を示したフローチャートであり、この図７〜図９のフローから抜けた際には、全体動作のメインフロー（図示省略）に戻る。
【００３５】
図７〜図９は、モニタリンク・ボタン操作（ペアリング操作）により実行開始される携帯電話機１の動作を示したフローチャートである。また、図１０及び図１１は、表示装置６（テレビ受信機６Ａ）側の動作を示したフローチャートである。図１２及び図１３は、携帯電話機１側の画面と表示装置６側の画面とがリンクしている状態の表示例を示した図である。図１４及び図１５は、表示装置６に対する操作デバイスとして携帯電話機１を利用したり、携帯電話機１に対する操作デバイスとして表示装置６を利用したりする場合の他の操作例及び表示例を示した図である。以下、図７〜図１１のフローを図１２〜図１５を参照して具体的に説明するものとする。
【００３６】
先ず、ＣＰＵ１１は、筐体向き検出部２２及び引出検出部２３の検出結果に基づいて、マウス・スタイルであるか、つまり、図６（２）に示すように筐体から引出部２４が引き出されることにより筐体の背面部側がせり上がった状態（マウス・スタイル）であるかを調べる（図７のステップＡ１）。いま、筺体の背面側を掌で包むように筺体を挟持した状態、例えば、筐体の表面（タッチ表示部１８やマウスセンサ１９）が下向きとなる姿勢であることが筐体向き検出部２２により検出され、かつ、筐体から引出部２４が引き出されていることが引出検出部２３により検出されている状態（マウス・スタイル）であれば（ステップＡ１でＹＥＳ）、タッチ表示部１８に処理対象の端末オブジェクトが表示されている状態であるかを調べる（ステップＡ２）。
【００３７】
また、マウス・スタイルでなければ（ステップＡ１でＮＯ）、又はマウス・スタイルであっても端末オブジェクトが表示中でなければ（ステップＡ２でＮＯ）、今回のモニタリンク・ボタンの操作を無効とするために、図７〜図９のフローから抜けるが、携帯電話機１側で端末オブジェクトが表示されている状態であれば（ステップＡ２でＹＥＳ）、近隣に存在している表示装置６を探索するために近距離通信部２０からモニタ探索信号を発信させた後（ステップＡ３）、周囲の表示装置６からその応答を近距離通信により受信したかを調べる（ステップＡ４）。いま、表示装置６からの応答が無ければ（ステップＡ４でＮＯ）、近隣の表示装置６に対して近距離通信部２０から電源オン信号を発信させた後（ステップＡ５）、再び、モニタ探索信号を発信させて（ステップＡ６）、それに対して周囲の表示装置６から応答を受信したかを調べる（ステップＡ７）。
【００３８】
図１０は、表示装置６（テレビ受信機６Ａ）の動作として、外部から電源オン信号を受信することにより実行開始されるフローチャートである。
先ず、ＣＰＵ６１は、外部から電源オン信号を受信すると、電源部６２を制御してメイン電源をオンさせた後（図１０のステップＢ１）、携帯電話機１からの電源オン信号であるかを調べる（ステップＢ２）。いま、赤外線通信部６８を介してテレビリモコン（図示省略）から電源オン信号を受信したときには（ステップＢ２でＮＯ）、テレビ放送受信部６４を起動させてテレビ映像をタッチ表示部６６から出力させると共に、テレビ音声をスピーカ６７から出力させる（ステップＢ３）。
【００３９】
そして、テレビリモコンなどでテレビ操作が行われた場合に（ステップＢ４でＹＥＳ）、それが電源オフ操作でなければ（ステップＢ５でＮＯ）、その操作に対応する処理として、例えば、チャンネル切替、音量調整などの処理を行うと共に、テレビ出力処理を継続する（ステップＢ６）。そして、上述のステップＢ４に戻り、テレビ操作待ち状態となる。ここで、電源オフ操作が行われたときには（ステップＢ５でＹＥＳ）、この時点でメイン電源をオフする処理に移行する。また、携帯電話機１から近距離通信により電源オン信号を受信したときには（ステップＢ２でＹＥＳ）、電源オン信号を受信してから所定時間内（例えば、３秒以内）に携帯電話機１からモニタ探索信号を受信したかを調べ（ステップＢ７）、モニタ探索信号を受信しなければ（ステップＢ７でＮＯ）、この時点でメイン電源をオフする処理に移行する。
【００４０】
携帯電話機１からモニタ探索信号を受信したときには（ステップＢ７でＹＥＳ）、図１１のフローに移る。図１１は、表示装置６（テレビ受信機６Ａ）の動作として、携帯電話機１からモニタ探索信号を受信したときに実行開始されるフローチャートである。
先ず、ＣＰＵ６１は、表示装置６が動作中か、つまり、タッチ表示部６６の画面（モニタ画面）にテレビ映像を表示しているテレビ表示中であるかを調べ（図１１のステップＢ１１）、テレビ映像を表示しているテレビ表示中であれば（ステップＢ１１でＹＥＳ）、予め設定されている自己の識別情報（モニタＩＤ）を読み出して、このモニタＩＤを表示中フラグ（図示省略）と共に携帯電話機１に送信してモニタ探索信号に対する応答を行う（ステップＢ１２）。そして、携帯電話機１からモニタリンク・オブジェクトを近距離通信により受信したかを調べ（ステップＢ１３）、モニタリンク・オブジェクトを受信しなければ（ステップＢ１３でＮＯ）、テレビ出力処理を継続したまま、この時点で図１１のフローの割込処理から抜ける。
【００４１】
また、テレビ表示中ではなく、テレビ映像を表示していない非表示中であれば（ステップＢ１１でＮＯ）、自己の識別情報（モニタＩＤ）を非表示中フラグ（図示省略）と共に携帯電話機１に送信してモニタ探索信号に対する応答を行った後（ステップＢ２３）、携帯電話機１からモニタリンク・オブジェクトを受信したかを調べる（ステップＢ２４）。ここで、モニタリンク・オブジェクトを受信しなければ（ステップＢ２４でＮＯ）、応答から所定時間（例えば、３秒）が経過してタイムアウトになったかを調べ（ステップＢ２６）、タイムアウトになるまで上述のステップＢ２４に戻り、受信待ちの状態となるが、タイムアウトになったときには（ステップＢ２６でＹＥＳ）、メイン電源をオフする処理に移行する。
【００４２】
一方、携帯電話機１において、上述のようなモニタ探索信号の発信に対して、周囲の表示装置６からその応答を受信したときには（図７のステップＡ４又はステップＡ７でＹＥＳ）、複数の表示装置６からの応答を受信したかを調べ（ステップＡ８）、単一の表示装置６から応答を受けたときには（ステップＡ８でＮＯ）、その表示装置６を出力モニタとして特定して、その受信ＩＤ（モニタＩＤ）をメモリ１４内に一時記憶させる（ステップＡ１３）。また、複数の表示装置６からの応答を受信したときには（ステップＡ８でＹＥＳ）、その応答時に受信した表示中フラグ／非表示中フラグを参照して、応答のあった各表示装置６のうち、非表示中フラグを送信した非表示中の表示装置６が存在しているかを調べる（ステップＡ９）。
【００４３】
その結果、非表示中の表示装置６が存在していれば（ステップＡ９でＹＥＳ）、その一台の表示装置６を出力モニタとして特定して、その受信ＩＤ（モニタＩＤ）をメモリ１４内に一時記憶させる（ステップＡ１０）。なお、非表示中の表示装置６が複数台存在している場合には、電波強度などの受信状況に応じて距離的に最も近い表示装置６、予め設定されている画面サイズを比較して最もサイズの大きい表示装置６を選択するようにしている。また、非表示中の表示装置６が存在していなければ（ステップＡ９でＮＯ）、応答した各表示装置６のモニタＩＤを受信してリスト表示させ（ステップＡ１１）、そのリストの中からユーザ操作により任意のモニタＩＤが選択指定されると（ステップＡ１２）、選択されたモニタＩＤ対応の表示装置６を出力モニタとして特定して、その受信ＩＤ（モニタＩＤ）をメモリ１４内に一時記憶させる（ステップＡ１３）。
【００４４】
このようにして表示装置６を特定した後は、図８のフローに移る。なお、出力モニタとして特定した表示装置６を、単に出力モニタと呼称するものとする。先ず、表示中フラグ／非表示中フラグを参照して、出力モニタは現在、テレビ映像を表示中であるかを調べる（図８のステップＡ１４）。いま、出力モニタがテレビ映像を表示していない非表示中であれば（ステップＡ１４でＮＯ）、タッチ表示部１８の画面（端末画面）の全体内容、つまり、端末オブジェクトを含む表示内容の全体をそのままモニタリンク・オブジェクトとして、出力モニタに対して送信する（ステップＡ１５）。また、出力モニタが表示中であれば（ステップＡ１４でＹＥＳ）、端末画面内に表示されている端末オブジェクトは、ＵＲＬなどのリンク情報であるかを調べる（ステップＡ１６）。
【００４５】
ここで、端末オブジェクトがＵＲＬなどのリンク情報であれば（ステップＡ１６でＹＥＳ）、端末画面内に表示されているリンク情報が一つであるかを調べる（ステップＡ１７でＹＥＳ）。端末オブジェクト（リンク情報）が一つであれば（ステップＡ１７でＹＥＳ）、インターネット４を介して情報配信装置５に依頼送信を行う（ステップＡ１９）。すなわち、端末オブジェクト（リンク情報）で指定されるデータの存在場所（リンク先）から表示対象のデータを取得し、それをモニタリンク・オブジェクトとして出力モニタに送信すべきことを依頼する送信を情報配信装置（サーバ）５に対して行う。
【００４６】
また、端末画面内に表示されている各端末オブジェクトが複数のリンク情報であれば（ステップＡ１７でＮＯ）、この複数のリンク情報をモニタリンク・オブジェクトとして出力モニタに近距離通信により直接送信する処理を行う（ステップＡ１８）。一方、端末オブジェクトがリンク情報でなければ（ステップＡ１６でＮＯ）、アイコンなどの端末オブジェクトをモニタリンク・オブジェクトとして出力モニタに近距離通信により直接送信する（ステップＡ２０）。
【００４７】
他方、出力モニタは、テレビ非表示中において（図１１のステップＢ１１でＮＯ）、携帯電話機１から直接又は情報配信装置５を介して間接的にモニタリンク・オブジェクトを受信したときには（ステップＢ２３でＹＥＳ）、モニタ画面の全体領域にモニタリンク・オブジェクトを表示させる（ステップＢ２４）。また、テレビ表示中において（ステップＢ１１でＹＥＳ）、携帯電話機１から直接又は情報配信装置５を介して間接的にモニタリンク・オブジェクトを受信したときには（ステップＢ１３でＹＥＳ）、モニタ画面の隅部にモニタリンク・オブジェクトをテレビ映像に重ね合わせて表示させる（ステップＢ１４）。
【００４８】
図１２（１）は、端末画面に表示されている端末オブジェクトがリンク情報の場合で、出力モニタがテレビ映像を表示していない非表示中の場合（図８のステップＡ１４でＮＯ）の表示例を示したもので、図８のステップＡ１５の実行により端末オブジェクト（リンク情報）を含む端末画面の全体が出力モニタに全面表示された場合である。この場合、端末オブジェクト（リンク情報）がモニタリンク・オブジェクトとして全面表示されると共に、このモニタリンク・オブジェクトの近傍にカーソルが表示される。
【００４９】
図１２（２）は、端末画面に端末オブジェクトとして一つのリンク情報が表示されている場合で、出力モニタがテレビ映像を表示している表示中の場合（図８のステップＡ１４でＹＥＳ、ステップＡ１６及びＡ１７でＹＥＳ）の表示例を示したもので、図８のステップＡ１９の実行により携帯電話機１から情報配信装置５への依頼送信に応じて情報配信装置５を介して取得した画像データ（人物の顔画像）がモニタ画面の隅部（図中、左下部）にテレビ映像に重ね合わせられて表示された場合である。この場合、端末オブジェクトの処理結果である画像データ（人物の顔画像）がモニタリンク・オブジェクトとして画面隅部に表示されると共に、その近傍にカーソルが表示される。
【００５０】
図１２（３）は、端末画面に端末オブジェクトとして複数（三つ）のリンク情報が表示されている場合で、出力モニタがテレビ映像を表示している表示中の場合（図８のステップＡ１４でＹＥＳ、ステップＡ１６でＹＥＳ、ステップＡ１７でＮＯ）の表示例を示したもので、図８のステップＡ１８の実行により複数のリンク情報がモニタ画面の隅部（図中、左下部）にテレビ映像に重ね合わせられて表示された場合である。この場合、複数のリンク情報がモニタリンク・オブジェクトとして画面隅部に表示されると共に、その近傍にカーソルが表示される。
【００５１】
図１３（１）は、端末画面に端末オブジェクトとしてリンク情報以外の情報（例えば、複数のアイコン）が表示されている場合で、出力モニタがテレビ映像を表示していない非表示中の場合（図８のステップＡ１４でＮＯ）の表示例を示したもので、図８のステップＡ１５の実行により端末オブジェクト（複数のアイコン）を含む端末画面の全体が出力モニタに全面表示された場合である。この場合、複数のアイコンがモニタリンク・オブジェクトとして全面表示されると共に、このモニタリンク・オブジェクトの近傍にカーソルが表示される。
【００５２】
図１３（２）は、端末画面に端末オブジェクトとしてリンク情報以外の情報（例えば、複数のアイコン）が表示されている場合で、出力モニタがテレビ映像を表示している表示中の場合（図８のステップＡ１４でＹＥＳ、ステップＡ１６でＮＯ）の表示例を示したもので、図８のステップＡ２０の実行により複数のアイコンがモニタ画面の隅部（図中、左下部）にテレビ映像に重ね合わせられて表示された場合である。この場合、複数のアイコンがモニタリンク・オブジェクトとして画面隅部に表示されると共に、その近傍にカーソルが表示される。
【００５３】
このように出力モニタは、モニタリンク・オブジェクトを表示させた後（図１１のステップＢ１４又はステップＢ２５）、モニタリンク・オブジェクトの表示位置を検出して携帯電話機１に対して送信する（ステップＢ１５）。そして、タッチ表示部６６に対するタッチアクション操作の有無を調べたり（ステップＢ１６）、新たなモニタリンク・オブジェクトを受信したかを調べたり（ステップＢ１８）、携帯電話機１からリンク終了の指示を受信したかを調べたりする（ステップＢ２０）。いま、タッチアクション操作として、タップ操作、ダブルタップ操作、ホールド操作、ピッチイン・ピッチアウト操作、フリック操作、ドラッグ操作などのいずれかが行われると（ステップＢ１６でＹＥＳ）、そのタッチ位置及びアクション内容を検出取得して（ステップＢ１７）、タッチ操作信号として携帯電話機１に送信した後（ステップＢ１８）、上述のステップＢ１６に戻る。
【００５４】
また、出力モニタは、新たなモニタリンク・オブジェクトを受信したときには（ステップＢ１９でＹＥＳ）、テレビ表示中かを調べ（ステップＢ２０）、テレビ表示中であれば（ステップＢ２０でＹＥＳ）、上述の重ね合わせ表示（ステップＢ１４）に戻るが、テレビ非表示中であれば（ステップＢ２０でＮＯ）、上述の全面表示（ステップＢ２５）に戻り、以下、上述の動作を繰り返す。また、携帯電話機１からリンク終了の指示を受信したときには（ステップＢ２１でＹＥＳ）、テレビ表示中かを調べ（ステップＢ２２）、テレビ表示中であれば（ステップＢ２２でＹＥＳ）、図１１のフローの割込処理から抜けるが、テレビ非表示中であれば（ステップＢ２２でＮＯ）、メイン電源をオフする処理に移行する。
【００５５】
携帯電話機１は、出力モニタからモニタリンク・オブジェクトの表示位置を受信すると（図８のステップＡ２１）、このモニタリンク・オブジェクトに対応する端末オブジェクトの表示位置を検出し、この端末オブジェクトの表示位置とモニタリンク・オブジェクトの表示位置とを対応付けて表示位置管理テーブルＤＴに記憶させる（ステップＡ２２）。そして、操作デバイスモード（マウスモード）に移行させた後（ステップＡ２３）、図９のフローに移り、モニタリンク・オブジェクトに関する処理（モニタリンク・オブジェクト対応の端末オブジェクトに対する処理）を実行する。
【００５６】
すなわち、このモニタリンク・オブジェクトに関する処理（モニタリンク・オブジェクト対応の端末オブジェクトに対する処理）の開始に先立って、出力モニタからの受信有無を調べたり（図９のステップＡ２４）、携帯電話機１をマウスとして移動させる移動操作やモニタリンク・ボタンＭＢが操作されたかを調べたり（ステップＡ３５）、マウス・スタイルが解除されたか、つまり、図６（２）に示すように筐体から引出部２４が引き出されてマウスセンサ１９が下向きとなっているかを調べたりする（ステップＡ３７）。いま、出力モニタからの受信有りを検出すると（ステップＡ２４でＹＥＳ）、出力モニタからのタッチ操作信号（タッチ位置及びアクション内容）を受信取得し（ステップＡ２５）、そのタッチ位置は、モニタリンク・オブジェクトの表示位置であるかを調べる（ステップＡ２６）。いま、タッチ位置とモニタリンク・オブジェクトの表示位置とが一致していれば（ステップＡ２６でＹＥＳ）、そのアクション内容に対応したコマンドを生成する（ステップＡ２７）。
【００５７】
例えば、アクション内容がタップ、ダブルタップ、ホールド、ピッチイン・ピッチアウト、フリック、ドラッグのいずれかであれば、それに応じたコマンドを生成する。そして、表示位置管理テーブルＤＴを参照し、モニタリンク・オブジェクト対応の端末オブジェクトに対して上述の生成コマンドに応じた処理を実行する（ステップＡ２８）。例えば、オブジェクト選択処理、オブジェクト移動処理、オブジェクト拡大・縮小処理などを実行する。そして、その処理結果を新たなモニタリンク・オブジェクトとして出力モニタに送信する（ステップＡ２９）。そして、上述の新たなモニタリンク・オブジェクトの表示位置を出力モニタから受信取得した後（ステップＡ３０）、このモニタリンク・オブジェクトの表示位置と端末オブジェクトの表示位置とを対応付けて表示位置管理テーブルＤＴに記憶させる（ステップＡ３１）。その後、上述のステップＡ２４に戻る。
【００５８】
図１４は、端末画面に端末オブジェクトとして複数（三つ）のアイコンが表示され、出力モニタにもこの複数のアイコンがモニタリンク・オブジェクトとして表示（図示の例では端末画面の内容が全面表示）されている状態において、モニタ画面上でのタッチアクションとして所望するアイコン位置がタッチされた場合の表示例を示した図である。図示の例では、アイコン“ａ”の位置がタッチされることにより、出力モニタは、そのタッチ位置及びアクション内容（タップ）を携帯電話機１に送信し、携帯電話機１は、アクション内容（タップ）対応のアイコン処理を実行し、その処理結果を端末画面に表示すると共に、出力モニタに新たなモニタリンク・オブジェクトとして送信するため、モニタ画面には、新たなモニタリンク・オブジェクトが表示（図示の例では全面表示）される。
【００５９】
また、携帯電話機１は、タッチ位置及びアクション内容を受信した場合に（ステップＡ２５）、そのタッチ位置がモニタリンク・オブジェクトの表示位置に一致していなければ（ステップＡ２６でＮＯ）、そのアクション内容に対応したコマンドを生成した後（ステップＡ３２）、この生成コマンドに応じて端末画面の全体を制御する処理として、例えば、スクロール処理、拡大・縮小処理などを実行する（ステップＡ３３）。そして、この画面制御の処理結果に応じて更新された端末画面の内容を、新たなモニタリンク・オブジェクトとして出力モニタに送信する（ステップＡ３４）。そして、上述の新たなモニタリンク・オブジェクトの表示位置を出力モニタから受信取得した後（ステップＡ３０）、このモニタリンク・オブジェクトの表示位置と端末オブジェクトの表示位置とを対応付けて表示位置管理テーブルＤＴに記憶させる（ステップＡ３１）。その後、上述のステップＡ２４に戻る。
【００６０】
図１５は、端末画面に端末オブジェクトとして画像が表示され、出力モニタにもこの画像がモニタリンク・オブジェクトとして表示（図示の例では、端末画面の内容が全面表示）されている状態において、モニタ画面上でのタッチアクションとして、画像の拡大を指示するピッチアウトのタッチ操作が行われた場合の表示例を示した図である。図示の例では、ピッチアウトのタッチ操作が行われることにより、出力モニタは、そのタッチ位置及びアクション内容（ピッチアウト）を携帯電話機１に送信し、携帯電話機１は、アクション内容（ピッチアウト）対応の拡大処理を実行し、その処理結果を端末画面に表示すると共に、出力モニタに新たなモニタリンク・オブジェクトとして送信するため、モニタ画面には、新たなモニタリンク・オブジェクトが表示（図示の例では全面表示）される。
【００６１】
また、携帯電話機１をマウスとして移動させる移動操作又はモニタリンク・ボタンＭＢが操作された場合には（ステップＡ３５でＹＥＳ）、操作に応じた処理を行った後（ステップＡ３６）、上述のステップＡ３７に移る。この場合、移動操作か行われたときには、カーソル移動信号を出力モニタに送信した後、出力モニタから移動後のカーソル位置を受信する処理を実行する。モニタリンク・ボタンＭＢが操作されたときには、出力モニタのモニタ画面において、カーソルの表示位置がモニタリンク・オブジェクトの表示位置が一致していれば、そのモニタリンク・オブジェクトに関する処理（モニタリンク・オブジェクト対応の端末オブジェクトに対する処理）を実行する。また、マウス・スタイルが解除されたときには（ステップＡ３７でＹＥＳ）、ポインティングデバイスモード（マウスモード）を解除するためにリンク終了信号を出力モニタに送信した後（ステップＡ３８）、図７〜図９のフローから抜ける。
【００６２】
以上のように、本実施形態において携帯電話機１は、処理対象の端末オブジェクトに対してアクセス操作が行われた場合に、その端末オブジェクト又はその処理結果をモニタリンク・オブジェクトとして、表示装置６に表示させるための制御を行うと共に、その表示装置６側で行われたタッチ操作に応じた処理を、当該モニタリンク・オブジェクト対応の端末オブジェクトに対して実行するようにしたので、表示装置６を携帯電話機１の出力モニタとして利用する場合に、表示装置６にオブジェクトを表示させた状態で行われた表示装置６側でのタッチ操作を、携帯電話機１側の操作として認識してそのオブジェクトに関する処理を実行することができ、操作性と利便性を兼ね備えることが可能となる。
【００６３】
従って、ユーザにあっては、携帯電話機１の制御下で表示装置６に表示させたモニタリンク・オブジェクトを見ながらその画面上をタッチする操作を行うことができる。すなわち、表示装置６に対する操作デバイスとして携帯電話機１を利用できるほか、携帯電話機１に対する操作デバイスとして表示装置６を利用することができ、相互が操作デバイスとして利用可能となり、それを適宜、使い分けることにより操作性と利便性を兼ね備えることが可能となる。
【００６４】
携帯電話機１は、処理対象の端末オブジェクトに対してアクセス操作が行われた場合に、近隣に通信接続が可能な表示装置６が存在していれば、その表示装置６を出力モニタとして特定して、タッチ操作に応じた処理を実行するようにしたので、携帯電話機１を所持するユーザが何処に居たとしても、その近隣に通信接続が可能な表示装置６があれば、その表示装置６との通信接続や操作デバイスモードへの切り替えを意識しなくても、タッチ操作に応じた処理を実行することができる。
【００６５】
携帯電話機１は、端末オブジェクトがリンク情報であれば、出力モニタとして特定した表示装置６の識別情報（モニタＩＤ）とリンク情報を情報配信装置５に対して通知することで、情報配信装置５からそのリンク情報で指定されるデータをその表示装置６に送信させることにより、当該データをモニタリンク・オブジェクトとして表示装置６に表示させるための制御を行うようにしたので、その表示装置６のスペックが高解像度の表示や負荷の大きな表示処理（高解像度動画処理など）が可能な場合にそのスペックを充分に生かした表示を実現することができる。
【００６６】
携帯電話機１は、出力モニタとして特定した表示装置６に対して端末オブジェクトを近距離通信により送信させることにより、その端末オブジェクトをモニタリンク・オブジェクトとして表示装置６に表示させるための制御を行うようにしたので、課金されない送信が可能となり、経済的であるほか、通信可能範囲が狭いので、セキュリティ面でも有効なものとなる。
【００６７】
携帯電話機１端末オブジェクトに対してアクセス操作が行われた際に、近距離通信により発信された探索信号に対していずれの表示装置６からも応答が無かった場合には、電源オン信号を発信させた後の再度の探索信号の発信に対して、いずれかの表示装置から応答が有ったか否を判別するようにしたので、近隣の表示装置６が電源オフ状態であっても、予め特別な操作を行うことなく、それを出力モニタとすることができる。
【００６８】
携帯電話機１は、出力モニタとして特定した表示装置６にモニタリンク・オブジェクトを表示させるための制御を行う場合に、表示装置６に既に他の表示データが表示されていれば、当該他の表示データと共にモニタリンク・オブジェクトを表示させるようにしたので、モニタリンク・オブジェクトを表示させたとしても既に表示中の他の表示データ（例えば、テレビ映像など）を見ることができる。
【００６９】
携帯電話機１は、表示装置６に既に他の表示データが表示されていなければ、端末オブジェクトを含む表示内容の全体をそのままモニタリンク・オブジェクトとして表示装置８に表示させるようにしたので、モニタリンク・オブジェクトが見易くなる。
【００７０】
筐体向き検出部２２により検出された筐体の姿勢（向き）に基づいて、操作デバイスモード（マウスモード）を解除するようにしたので、特別なキー操作を行うことなく、筐体の姿勢（向き）を変えるだけで、マウスモードを解除することができる。
【００７１】
なお、上述した実施形態においては、携帯電話機１と表示装置６との間での近距離通信として、ブルートゥース通信を使用するようにしたが、赤外線通信などであってもよい。また、インターネット４を介して情報配信装置５に接続するようにしたが、構内通信網を介して接続するようにしてもよい。
【００７２】
携帯電話機１をポインティングデバイス（マウス）として使用する際に、図６（２）に示すように、筐体の表面側を下向き、つまりタッチ表示部１８を平面（例えば、机面）に向けて載置する場合を示したが、その平面は、水平面に限らず、垂直面（例えば、壁面）などであってもよい。また、上述した実施形態においては、携帯電話機１をマウス機能として使用するようにしたが、タッチパット機能（ポインティングデバイス）として使用したり、モーションセンサ機能（空間移動操作デバイス）として使用したりしてもよい。
【００７３】
上述した実施形態においては、表示装置６に既に他の表示データが表示されていれば、当該他の表示データと共にモニタリンク・オブジェクトを重ね合わせて表示させるようにしたが、同一画面内に他の表示データとモニタリンク・オブジェクトとを並列表示させるようにしてもよい。
【００７４】
また、上述した実施形態において携帯端末装置として、携帯電話機に適用した場合を例示したが、これに限らず、ＰＤＡ、デジタルカメラ、音楽プレイヤーなどであってもよい。
【００７５】
また、上述した実施形態において示した“機”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００７６】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
処理対象のオブジェクトに対する操作に応じて当該オブジェトを処理する携帯端末装置であって、
外部機器としての表示装置との間で直接的又は間接的にデータ通信を行う通信手段と、
前記処理対象のオブジェクトを端末オブジェクトとし、その端末オブジェクトに対してアクセス操作が行われた場合に、前記端末オブジェクト又はその処理結果をモニタリンク・オブジェクトとして、前記表示装置に前記通信手段を介して表示させるための制御を行う表示制御手段と、
前記通信手段を介して受信取得した前記表示装置側のモニタリンク・オブジェクトの表示位置を前記端末オブジェクトに対応付けて記憶管理する管理手段と、
前記表示装置側の表示内容に対する操作に応答してその表示操作信号を、前記通信手段を介して受信取得した場合に、当該モニタリンク・オブジェクト対応の前記端末オブジェクトに対して前記表示操作信号が示す操作内容に応じた処理を実行する処理手段と、
を備えたことを特徴とする携帯端末装置である。
（請求項２）
請求項２に記載の発明は、請求項１記載の携帯端末装置において、
前記処理対象のオブジェクトを端末オブジェクトとし、その端末オブジェクトに対してアクセス操作が行われた場合に、当該端末装置の近隣に通信接続が可能な前記表示装置が存在しているか否かを判別する判別手段と、
前記判別手段により表示装置が存在していることが判別された場合に、その表示装置を出力モニタとして特定する特定手段と、
を更に備え、
前記表示制御手段は、前記出力モニタとして特定した表示装置に前記通信手段を介して前記モニタリンク・オブジェクトを表示させるための制御を行う、
ようにしたことを特徴とする請求項１に記載の携帯端末装置である。
（請求項３）
請求項３に記載の発明は、請求項１あるいは請求項２に記載の携帯端末装置において、
前記通信手段は、ネットワーク経由で情報配信装置を介して前記表示装置との間で間接的に通信接続するネットワーク通信手段であり、
前記端末オブジェクトは、表示対象のデータの存在場所を指定するリンク情報であり、
前記表示制御手段は、前記表示装置の識別情報を取得し、この識別情報及び前記リンク情報を前記情報配信装置に対して通知することで、当該情報配信装置からそのリンク情報で指定されるデータを前記識別情報で指定される表示装置に送信させることにより、当該データを前記モニタリンク・オブジェクトとして前記表示装置に表示させるための制御を行う、
ようにしたことを特徴とする携帯端末装置である。
（請求項４）
請求項４に記載の発明は、請求項１あるいは請求項２に記載の携帯端末装置において、
前記通信手段は、近隣に存在している表示装置との間で直接的に近距離通信を行う近距離通信手段であり、
前記表示制御手段は、前記表示装置に対して前記端末オブジェクトを、前記近距離通信手段を介して送信させることにより、当該端末オブジェクトを前記モニタリンク・オブジェクトとして前記表示装置に表示させるための制御を行う、
ようにしたことを特徴とする携帯端末装置である。
（請求項５）
請求項５に記載の発明は、請求項１〜請求項４のいずれかに記載の携帯端末装置において、
前記通信手段は、近隣に存在している表示装置との間で直接的に近距離通信を行う近距離通信手段であり、
前記判別手段は、前記端末オブジェクトに対してアクセス操作が行われた際に、前記通信手段から発信された探索信号に対していずれかの前記表示装置から応答が有ったか否かに応じて当該端末装置の近隣に通信接続が可能な表示装置が存在しているか否かを判別し、いずれの表示装置からも応答が無かった場合に、前記通信手段から表示装置の電源オンを指示する電源オン信号を発信させた後の再度の探索信号の発信に対して、いずれかの表示装置から応答が有ったか否かに応じて、当該端末装置の近隣に通信接続が可能な表示装置が存在しているか否かを判別する、
ようにしたことを特徴とする携帯端末装置である。
（請求項６）
請求項６に記載の発明は、請求項１〜請求項５のいずれかに記載の携帯端末装置において、
前記表示制御手段は、前記出力モニタとして特定した表示装置に前記モニタリンク・オブジェクトを表示させるための制御を行う場合に、当該表示装置に既に他の表示データが表示されているか否かを判別し、既に他の表示データが表示されていれば、当該他の表示データと共に前記モニタリンク・オブジェクトを表示させるための制御を行う、
ようにしたことを特徴とする携帯端末装置である。
（請求項７）
請求項７に記載の発明は、請求項６に記載の携帯端末装置において、
当該端末装置の端末画面に前記端末オブジェクトが表示されている状態において、前記表示制御手段は、前記出力モニタとして特定した表示装置に他の表示データが表示されていないと判別した場合に、前記端末画面に表示されている端末オブジェクトを含む表示内容の全体をそのまま前記モニタリンク・オブジェクトとして当該表示装置に表示させるための制御を行う、
ようにしたことを特徴とする携帯端末装置である。
（請求項８）
請求項８に記載の発明は、請求項１〜請求項７のいずれかに記載の携帯端末装置において、
前記表示装置に対する操作デバイスとして当該端末装置を機能させる操作デバイスモードに移行させるモード制御手段と、
筐体の姿勢を検出する姿勢検出手段と
を更に備え、
前記モード制御手段は、前記姿勢検出手段の検出結果に基づいて、前記操作デバイスモードを解除する、
ようにしたことを特徴とする携帯端末装置である。
（請求項９）
請求項９に記載の発明は、請求項１〜請求項８のいずれかに記載の携帯端末装置において、
前記表示装置側の表示内容に対する操作は、タッチ画面上でのタッチアクションであり、
前記処理手段は、前記通信手段を介して受信取得したそのタッチ操作信号が示すアクション内容に応じた処理を実行する、
ようにしたことを特徴とする記載の携帯端末装置である。
（請求項１０）
請求項１０に記載の発明は、
コンピュータに対して、
外部機器としての表示装置との間で直接的又は間接的にデータ通信を行う機能と、
処理対象のオブジェクトを端末オブジェクトとし、その端末オブジェクトに対してアクセス操作が行われた場合に、前記端末オブジェクト又はその処理結果をモニタリンク・オブジェクトとして、前記表示装置に前記データ通信を介して表示させるための制御を行う機能と、
前記データ通信を介して受信取得した前記表示装置側のモニタリンク・オブジェクトの表示位置を前記端末オブジェクトに対応付けて記憶管理する機能と、
前記表示装置側の表示内容に対する操作に応答してその表示操作信号を、前記データ通信を介して受信取得した場合に、当該モニタリンク・オブジェクト対応の前記端末オブジェクトに対して前記表示操作信号が示す操作内容に応じた処理を実行する機能と、
を実現させるためのプログラムである。
【符号の説明】
【００７７】
１  携帯電話機
３  無線通信網
４  インターネット
５  情報配信装置
６  表示装置
６Ａ  テレビ受信機
１１  ＣＰＵ
１３  記憶部
１５  無線通信部
１７  操作部
１８  タッチ表示部
１９  マウスセンサ
２２  筐体向き検出部
２３  引出検出部
ＤＴ  表示位置管理テーブル
【図１】
0005772067.tif 000002
【図２】
0005772067.tif 000003
【図３】
0005772067.tif 000004
【図４】
0005772067.tif 000005
【図５】
0005772067.tif 000006
【図６】
0005772067.tif 000007
【図７】
0005772067.tif 000008
【図８】
0005772067.tif 000009
【図９】
0005772067.tif 000010
【図１０】
0005772067.tif 000011
【図１１】
0005772067.tif 000012
【図１２】
0005772067.tif 000013
【図１３】
0005772067.tif 000014
【図１４】
0005772067.tif 000015
【図１５】
0005772067.tif 000016